(57)【要約】【課題】室内で簡易的に芳香を利用できる技術を提供する。【解決手段】テレビ１０は、キャビネット１２に芳香放出部２０を備えている。具体的には、芳香放出部２０として、キャビネット上部１３の左右に第１の芳香放出部２０ａと第２の芳香放出部２０ｂが設けられている。第１の芳香放出部２０ａと第２の芳香放出部２０ｂとから芳香が放出され拡散される。また、キャビネット背面部１４には、第１の芳香放出部２０ａと第２の芳香放出部２０ｂの近傍に、内部の熱を放出するための排熱孔４０が設けられている。【選択図】図１
2011151603.tif 000002
【特許請求の範囲】
【請求項１】
キャビネットに設けられ芳香物質を収容する収容手段と、
前記収容手段を開閉するフタ手段と、
発生した熱を排気として排出する排熱手段と、
前記排気の一部を前記収容手段へ導く導熱手段と、
を備えることを特徴とするテレビ装置。
【請求項２】
前記導熱手段は、前記排気が前記収容手段へ伝わる経路を遮断する遮断手段を備えることを特徴とする請求項１に記載のテレビ装置。
【請求項３】
前記収容手段は、前記芳香物質を収容する容器と、
前記容器が配置される配置手段と、
を備えることを特徴とする請求項１または２に記載のテレビ装置。
【請求項４】
前記配置手段は、前記導熱手段によって導かれた前記排気の熱を前記容器に伝達する伝熱手段を備えることを特徴とする請求項３に記載のテレビ装置。
【請求項５】
前記フタ手段は、タイマに連動して開閉することを特徴とする請求項１から４までのいずれかに記載のテレビ装置。
【請求項６】
前記フタ手段は、表示出力するコンテンツのジャンルに応じて開閉することを特徴とする請求項１から５までのいずれかに記載のテレビ装置。
【請求項７】
前記収容手段は、前記排熱手段の近傍に設けられていることを特徴とする請求項１から６までのいずれかに記載のテレビ装置。
【発明の詳細な説明】
【技術分野】
【０００１】
本発明は、テレビ装置に係り、芳香物質を放出する機能を備えたテレビ装置に関する。
【背景技術】
【０００２】
アロマオイル等の芳香物質を蒸散させてリラクセーションやストレスケアそして美容や健康維持、疲労回復に役立てることが行われている。また、そのような効果までは期待しないものの、消臭等を兼ねる目的で、プラスチック等の容器に充填された芳香剤をリビングや玄関、車内等に置くことも行われている。
【０００３】
そして、より効果的な利用の観点から、様々な手法が用いられている。例えば、アロマオイルの蒸散促進の観点では、基本的には、アロマポッド（皿）にアロマオイルを入れて、そのアロマポッドをキャンドル等で加熱する。また、安全性の観点から、電気式の加熱装置が用いられていることもある。また、自動車内で利用する技術として、例えば、アクセサリーソケットからの熱源を利用する自動車用加熱式芳香装置がある（特許文献１参照）。さらに、簡単に利用できるものとして、貼着型芳香シートも提案されている（特許文献２参照）。
【先行技術文献】
【特許文献】
【０００４】
【特許文献１】特開２００１−３２７５８７号公報
【特許文献２】特開２００８−６７７８５号公報
【発明の概要】
【発明が解決しようとする課題】
【０００５】
ところで、特許文献１に開示の加熱式芳香装置（自動車用加熱式芳香装置）は、車室内に設けられたアクセサリーソケットに挿入するタイプの芳香装置である。つまり、車室内専用であって加熱専用の熱源（電源）が必要であり、室内での利用に適用するには課題があった。また、特許文献２に開示の貼着型の芳香シートに関しては、貼着場所を要し、壁紙の上への貼着を避けたい場合も多く、実際の利用が難しいこともある。また、シートの香りが消えるまでは、同じ香りが芳香され続け、その間は、新たに別な香りを楽しむことができないという課題があった。
【０００６】
本発明の目的は、上記課題に鑑み、室内で簡易的に芳香を利用できる技術を提供することにある。
【課題を解決するための手段】
【０００７】
本発明に係る装置は、テレビ装置に関する。このテレビ装置は、キャビネットに設けられ芳香物質を収容する収容手段と、前記収容手段を開閉するフタ手段と、発生した熱を排気として排出する排熱手段と、前記排気の一部を前記収容手段へ導く導熱手段と、を備える。
また、前記導熱手段は、前記排気が前記収容手段へ伝わる経路を遮断する遮断手段を備えてもよい。
また、前記収容手段は、前記芳香物質を収容する容器と、前記容器が配置される配置手段と、を備えてもよい。
また、前記配置手段は、前記導熱手段によって導かれた前記排気の熱を前記容器に伝達する伝熱手段を備えてもよい。
また、前記フタ手段は、タイマに連動して開閉してもよい。
また、前記フタ手段は、表示出力するコンテンツのジャンルに応じて開閉してもよい。
また、前記収容手段は、前記排熱手段の近傍に設けられてもよい。
【発明の効果】
【０００８】
本発明によれば、室内で簡易的に芳香を利用できる技術を提供することができる。
【図面の簡単な説明】
【０００９】
【図１】本発明の実施形態に係る、テレビを模式的に示した斜視図である。
【図２】本発明の実施形態に係る、テレビの芳香放出部の構造を示した断面図である。
【図３】本発明の実施形態に係る、テレビの機能ブロック図である。
【図４】本発明の実施形態に係る、テレビの芳香制御部の機能ブロック図である。
【図５】本発明の実施形態に係る、タイマ連動及びセンサ連動による開閉動作設定の為の画面を示した図である。
【図６】本発明の実施形態に係る、コンテンツに連動させてフタ部や排気可動部を開閉動作させる設定を行う画面を示した図である。
【発明を実施するための形態】
【００１０】
次に、本発明を実施するための形態（以下、単に「実施形態」という）を、図面を参照して具体的に説明する。テレビ装置（以下、単に「テレビ」という）が動作時に発生する熱は、時として利用者に暑さを感じさせ、視聴時の環境の快適さを不十分なものにしていた。そこで、本発明者は、この無駄に排出されている熱に関して活用方法について検討したところ、アロマポッドをテレビに取り付ける構成とすることで、テレビ動作時に発生する熱を、アロマを暖めて蒸散させる為の熱として利用することができるではないかということを想起した。アロマの拡散の観点から、通常であれば、火や電気等の熱源を想起してしまい、テレビの排熱では不十分ではないかという先入観から、テレビの熱を利用しようとは思いつかない。しかし、アロマの強力な拡散が求められない場合には、逆に、テレビの排熱が丁度よいのではないかということに着目した。そして、検証の結果、テレビのキャビネット背面からの排熱による対流が、アロマの室内拡散に効果的であることの知見を得た。つまり、従来において一般的に想定される温度でなくても、加熱器（ポッド）周囲に蒸散したアロマが滞留しないことから、十分な効果が得られるとの認識に至った。以下、詳細に説明する。なお、揮発性の芳香物質としてアロマオイルについて例示するが、当然に、エッセンシャルオイル（精油）等の他の揮発性芳香物質についても適用可能である。
【００１１】
図１は、本実施形態に係るテレビ１０を模式的に示す斜視図であり、（ａ）は正面斜視図であり、（ｂ）は背面斜視図である。図示のように、テレビ１０は、キャビネット１２に芳香放出部２０を備えている。具体的には、芳香放出部２０として、キャビネット上部１３の左右に第１の芳香放出部２０ａと第２の芳香放出部２０ｂが設けられている。第１の芳香放出部２０ａと第２の芳香放出部２０ｂとから芳香が放出され拡散される。なお、芳香放出部２０の数は、他にキャビネット上部１３の中央部に設ける等して設置数を３以上としてもよい。
【００１２】
また、キャビネット背面部１４には、第１の芳香放出部２０ａと第２の芳香放出部２０ｂの近傍に、内部の熱を放出するための排熱孔４０が設けられている。そして、排熱孔４０から熱を放出するに先だって、第１の芳香放出部２０ａと第２の芳香放出部２０ｂとが緩やかに加熱されることで、芳香の拡散が促進される。
【００１３】
図２は、芳香放出部２０の構造を示す断面図である。第１の芳香放出部２０ａ及び第２の芳香放出部２０ｂは、ともに図２に示す構造で実現できる。芳香放出部２０は、ポッド２６を配置するためのポッド収容部２２と、フタ部２４と、芳香用駆動制御部３０と、芳香促進用排気路１６ｂと、排気可動部３６とを備える。
【００１４】
芳香促進用排気路１６ｂは、排気路１６の通常排気路１６ａの一部が芳香放出部２０側に拡張された空間であって、排気可動部３６によって開閉可能に仕切られている。排気可動部３６は、後述の排気路可動制御部３４によって開閉駆動される。
【００１５】
ポッド収容部２２は、図示のように略円柱状に凹んだ形状を呈している。そして、その側面はキャビネット１２と一体に成型されている。また、底面には伝熱部２８が設けられている。この伝熱部２８は、例えば伝熱特性の良好な金属で形成され、上面側が収容されたポッド２６の底面に接し、下面側が芳香促進用排気路１６ｂに露出する。芳香促進用排気路１６ｂに環流してきた排熱が、この伝熱部２８からポッド２６に伝達される。ポッド収容部２２にポッド２６を収納する構成としたので、アロマオイルを変更したい場合に、ユーザはポッド２６を取り替えたり、洗浄したりすることで、直ぐに対応することができる。なお、ポッド収容部２２は、伝熱部２８以外の部分を断熱部材で形成されてもよい。
【００１６】
また、フタ部２４は、ポッド２６が収容された状態でポッド収容部２２の上部を閉鎖可能な構造を備えている。
【００１７】
芳香用駆動制御部３０は、フタ部２４の開閉を行うフタ駆動制御部３２と、排気可動部３６を可動させる排気路可動制御部３４とを備えている。なお、芳香用駆動制御部３０は、後述する芳香制御部６０の指示に基づき、フタ駆動制御部３２と排気路可動制御部３４とを制御する。詳細には、ポッド２６に充填されているアロマ液体の気化及び拡散を行う場合には、フタ駆動制御部３２がフタ部２４を開くように動作する。さらに、排気路可動制御部３４が、排気可動部３６を開くように動作する。フタ部２４が開くことで、アロマ液体の気化した成分が外部に拡散される。また、排気可動部３６が開くことで、芳香促進用排気路１６ｂに熱が環流される。その熱が伝熱部２８を介してポッド２６に伝わる。その結果、アロマ液体の気化・拡散が促進される。
【００１８】
なお、フタ部２４及び排気可動部３６の構造や、それらを駆動するフタ駆動制御部３２や排気路可動制御部３４は、一般的な公知の技術で実現でき、上述の態様に限定するものでなく、配置スペース等を勘案して適宜適切な態様が選択できる。
【００１９】
つづいて、芳香放出部２０の動作・制御に関する構成について説明する。
図３は、テレビ１０の機能ブロック図である。テレビ１０は、一般的なテレビ機能として、出力制御部５０と、受信部５１と、表示駆動部５２と、音声出力部５３と、電源部５４と、通信部５５と、を備えている。
【００２０】
出力制御部５０は、ＣＰＵ（中央演算装置）等のＬＳＩ（大規模集積回路）やメモリ、及びそのメモリに記憶されてそれぞれの機能を実行するプログラムにより実現され、テレビ１０の構成要素を統括的に制御する。また、出力制御部５０は、受信部５１が受信したコンテンツを（映像信号や音声信号）を取得し、表示駆動部５２における駆動形式に応じた信号を表示駆動部５２に出力するとともに、音声信号については音声出力部５３に出力する。また、出力制御部５０は、必要に応じて、例えばテレビ１０の設定画面や、データ放送の内容を反映させたり選択しているチャンネルの番号や時刻を付与したＯＳＤ（On Screen Display）画面など表示駆動部５２に最終的に表示すべき映像を構築する。
【００２１】
受信部５１は、例えば、地上デジタル放送用のチューナであり、地上デジタル放送を受信及び復号する。復号した信号は出力制御部５０へ出力される。表示駆動部５２は、ＬＣＤパネルやその駆動回路等を備えており、映像信号を表示出力する。また、音声出力部５３は、スピーカやアンプ等を備えており音声信号を出力する。電源部５４は、外部から交流電源を取得して所望の直流に変換し、各構成要素に電力を供給する。通信部５５は、例えば、ＬＡＮ（Local Area Network）による通信を可能とするインタフェイス装置である。人感センサ５６は、いわゆる赤外線センサで、赤外線による温度変化を検知する。出力制御部５０は、この人感センサ５６の検知結果を基に、テレビ１０の前の所定エリアに人が存在するか否かを判断し、オンオフ制御等に反映させる処理を行う。また、操作取得部５７は、操作パネル又はリモコン５９に対するユーザ操作を取得する。出力制御部５０は、そのユーザの操作に対応した各種処理を行う。
【００２２】
さらに、テレビ１０は、本実施形態において特徴的な構成として、上述の芳香放出部２０及び芳香用駆動制御部３０と、芳香制御部６０とを備える。
【００２３】
図４は、芳香制御部６０の構成を示す機能ブロック図である。図示のように、芳香制御部６０は、芳香機能制御部６１と、タイマ連動部６２と、コンテンツ連動部６３と、芳香用センサ処理部６４とを備えている。
【００２４】
芳香機能制御部６１は、芳香用駆動制御部３０のフタ駆動制御部３２及び排気路可動制御部３４に対して、フタ部２４や排気可動部３６の開閉動作をするための指示信号を出力する。具体的には、操作取得部５７に対するユーザから直接の操作又はリモコン５９による間接の操作によって、芳香機能制御部６１は、フタ部２４や排気可動部３６の開閉動作を制御する。また、芳香機能制御部６１は、後述のタイマ連動部６２、コンテンツ連動部６３及び芳香用センサ処理部６４の処理に応じて、フタ部２４や排気可動部３６の開閉動作をする。さらに、芳香機能制御部６１は、その開閉動作の各種動作設定に関するユーザからの指示を受け記憶する。
【００２５】
タイマ連動部６２は、芳香放出部２０のタイマ連動に関する設定及び制御を行う。ここで、タイマ連動とは、テレビ１０のタイマによるオンオフ動作に連動させて、芳香放出部２０のフタ部２４や排気可動部３６を開閉動作する処理と、テレビ１０のタイマによるオンオフ動作とは独立して、フタ部２４や排気可動部３６を開閉動作する処理の２種類の動作を想定している。
【００２６】
コンテンツ連動部６３は、受信部５１で受信して表示駆動部５２に出力するコンテンツのジャンルに応じて芳香放出部２０の動作を制御する。例えば、デジタル放送では、放送信号中にコンテンツの種類に関する情報（以下、「コンテンツ情報」という）が含まれており、番組情報や電子番組表等において使用されている。コンテンツ連動部６３は、そのコンテンツ情報をもとに、芳香放出部２０におけるフタ部２４や排気可動部３６の開閉制御を行う。
【００２７】
芳香用センサ処理部６４は、人感センサ５６の検出結果に基づき、フタ部２４や排気可動部３６の開閉制御を行う。つまり、テレビ１０の前の所定領域に人が存在していないと判断したら、フタ部２４や排気可動部３６を閉じて、アロマの拡散を停止する。人感センサ５６として、例えば、赤外線センサや画像認識によるセンサがある。
【００２８】
次に、図５及び図６を参照して、タイマ連動や、コンテンツ連動及びセンサ連動に基づく芳香放出部２０の動作設定処理について説明する。
【００２９】
図５は、タイマ連動及びセンサ連動による開閉動作設定の為の設定画面Ａ１である。一番目のタイマ連動設定領域Ａ１１において、ユーザは、オンタイマ連動及びオフタイマ連動に関する設定を行う。例えば、図示では、オンタイマ連動を行い、オフタイマ連動は行わない旨が選択されている。したがって、オンタイマが設定されている場合、タイマ連動部６２は、オンタイマの設定時刻になるとテレビ１０の電源をオンさせるとともに、芳香放出部２０のフタ部２４や排気可動部３６を開いた状態とする。また、図示のように、オフタイマが設定されていない場合、オフタイマの設定時刻になるとテレビ１０の電源がオフするが、タイマ連動部６２は、芳香放出部２０のフタ部２４や排気可動部３６を動作させず、直前の状態を維持したままとする。なお、本実施形態のように、芳香放出部２０が複数設けられている場合に、オンする芳香放出部２０が選択可能であってもよい。そのような構成とすると、目覚ましとして使用するときには、ユーザが朝起きるときに感じる香を所望の香りに設定できる。
【００３０】
二番目のフタ独立駆動設定領域Ａ１２において、ユーザは、テレビ１０のタイマ動作と独立して芳香放出部２０（フタ部２４や排気可動部３６）を駆動させるか否かを設定する。つまり、テレビ１０がオフ状態であっても、ここで設定した時刻になると、タイマ連動部６２は、フタ部２４や排気可動部３６を、設定に応じて開いたり閉じたりさせる。図示の設定では、６時にフタ部２４や排気可動部３６が開くように制御し、その結果、アロマの拡散が促される。また、２３時には、フタ部２４や排気可動部３６が閉じるように制御し、その結果、アロマの拡散が抑制される。なお、テレビ１０がオフの状態では、排熱が不足する可能性もあるものの、フタ部２４が開くことで、一定程度のアロマ拡散が期待できる。
【００３１】
一番下のセンサ連動設定領域Ａ１３において、ユーザは、人感センサ５６の検出結果に応じて、芳香放出部２０を駆動させるか否かを選択させることができる。この欄で、「人感センサ連動あり」の項目で「Ｙｅｓ」が選択されると、テレビ１０がオンしている場合に、ユーザが存在していると判断すると、芳香用センサ処理部６４は、フタ部２４や排気可動部３６を開くように制御する。逆に、ユーザが存在していないと判断すると、芳香用センサ処理部６４は、フタ部２４や排気可動部３６を閉じるように制御する。なお、テレビ１０のオンオフに関係なく、人感センサ５６の検知結果に連動して、フタ部２４や排気可動部３６を開くように制御されてもよい。
【００３２】
図６は、コンテンツに連動させてフタ部２４や排気可動部３６を開閉動作させる設定を行う画面Ａ２を示している。上述のコンテンツ連動部６３による制御動作の設定を行う画面である。まず、ユーザは、一番上の連動設定選択領域Ａ２１において、「コンテンツ連動設定 あり」の項目について「ＹＥＳ」または「ＮＯ」を選択する。初期設定では、「ＮＯ」が選択されている。「ＹＥＳ」が選択されると、連動設定選択領域Ａ２１の下にコンテンツ対応設定領域Ａ２２が選択可能に表示される。コンテンツ対応設定領域Ａ２２では、コンテンツのジャンルに応じた、フタ部２４や排気可動部３６の開閉設定が可能となっている。
【００３３】
ここでは、芳香放出部２０として、第１の芳香放出部２０ａ（左ポッドに対応）と第２の芳香放出部２０ｂ（右ポッドに対応）が設けられているので、それぞれ独立して開閉制御が可能となっている。図示の設定では、例えば、表示出力するコンテンツのジャンルが「映画」の場合、左右のポッドがオンする設定になっている。つまり、コンテンツ連動部６３は、第１の芳香放出部２０ａ及び第２の芳香放出部２０ｂのそれぞれのフタ部２４や排気可動部３６が開くように制御する。また、ジャンルが「スポーツ」の場合、左ポッドに対応する第１の芳香放出部２０ａがオンし、右ポッドに対応する第２の芳香放出部２０ｂはオフとなる。このようにコンテンツのジャンルに応じて、好みのアロマを選択することができ、設定によっては、アロマの拡散を停止することができるので、ユーザは、香りに関して好みの試聴環境を得られる。
【００３４】
なお、ここでは、コンテンツ連動部６３は受信部５１の受信した信号に含まれるジャンル情報を参照して、連動制御を行っている。しかし、これに限らず、コンテンツ連動部６３は、外部入力の信号に含まれるコンテンツ情報に基づいて連動制御を行ってもよい。また、アロマポッドを使わないときは、アロマポッド用の窪みに熱が伝わらないよう、使用状況に応じて熱伝導を制御できる。さらに、ポッド収容部２２にポッド２６を検知するセンサを設け、ポッド２６の有無を判断し、ポッド２６が存在しないと判断したら、フタ部２４を閉じた状態に維持するように制御してもよい。
【００３５】
テレビ動作時に発生する熱を利用することで、新たな電力を使うことなくアロマポッドを利用できる省エネ効果を付加したテレビであり、また、アロマにより快適な視聴空間を作ることができるテレビである。さらに電源を切った後の余熱も利用でき、エネルギの有効活用ができる。
【００３６】
以上、本発明を実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。
【００３７】
例えば、上記実施形態では、ポッド２６の加熱に排熱のみを使用しているが、当然に、電熱ヒータ等の加熱手段が設けられてもよい。排熱と組み合わせて使用することから、単に電熱ヒータ等による加熱と比較して、少ないエネルギで所望の拡散が実現でき、高温にする必要が無いため安全な温度設定で実現できる。また、排熱孔４０から排出された後は、排熱の対流によって、拡散領域が広がり、アロマ専用の加熱器と比べても、加熱器周辺に滞留することがないため、少ない量の蒸散でも、十分な効果が得られる。また、コンテンツ連動させる場合には、蒸散が速くなることからユーザはより素早い効果の認識が得られる。
【符号の説明】
【００３８】
１０  テレビ
１２  キャビネット
１３  キャビネット上部
１４  キャビネット背面部
１６  排気路
１６ａ  通常排気路
１６ｂ  芳香促進用排気路
２０  芳香放出部
２０ａ  第１の芳香放出部
２０ｂ  第２の芳香放出部
２２  ポッド収容部
２４  フタ部
２８  伝熱部
３０  芳香用駆動制御部
３２  フタ駆動制御部
３４  排気路可動制御部
４０  排熱孔
５６  人感センサ
６０  芳香制御部
６１  芳香機能制御部
６２  タイマ連動部
６３  コンテンツ連動部
６４  芳香用センサ処理部
【図１】
2011151603.tif 000003
【図２】
2011151603.tif 000004
【図３】
2011151603.tif 000005
【図４】
2011151603.tif 000006
【図５】
2011151603.tif 000007
【図６】
2011151603.tif 000008